(57)【要約】      （修正有）【課題】安全性、省スペース、環境対策などに配慮した商品展示ボードを提供する。【解決手段】先端が斜め上方に向かって屈曲せしめられたフック６と、フック６が水平位置からほぼ９０°上方へ向かって折りたためる様に、フック６の後端側を枢支し、展示ボード本体に縦、横所定間隔で配列固定されるフック基部７、とからなる吊下フック体５と、フック６の長さより大きな横巾を有し、先端側には、下方へ向かって折り曲げられた垂下辺が、後端側には、折り曲げられた固定代（しろ）１６がそれぞれ形成されており、展示ボード本体の吊下フック体５の固定箇所の上方に固定代１６を固定することにより、水平位置からほぼ９０°方法へ向かって折りたためると共に、水平位置において垂下辺がフック前方へ位置し、空間を隔てて吊下フック体５の前面を覆う様になっているひさし１７とから商品展示ボード１を構成した。【選択図】図３
0003144238.tif 000002
【実用新案登録請求の範囲】
【請求項１】
板状をなした展示ボード本体；
先端が斜め上方に向かって屈曲せしめられたフックと、前記フックが水平位置からほぼ９０°上方へ向かって折りたためる様に、前記フックの後端側を枢支し、展示ボード本体に縦、横所定間隔で配列固定されるフック基部、とからなる吊下フック体；
前記フックの長さより大きな横巾を有し、先端側には、下方へ向かって折り曲げられた垂下辺が、後端側には、折り曲げられた固定代（しろ）がそれぞれ形成されており、展示ボード本体の吊下フック体の固定箇所の上方に前記固定代を固定することにより、水平位置からほぼ９０°上方へ向かって折りたためると共に、水平位置において垂下辺がフック前方へ位置し、空間を隔てて吊下フック体の前面を覆う様になっているひさし；
とから構成されることを特徴とする商品展示ボード。
【考案の詳細な説明】
【技術分野】
【０００１】
この考案は、商品展示ボード、詳しくは、安全性、省スペース、環境対策などに配慮した商品展示ボードに関するものである。
【背景技術】
【０００２】
商品の販売活動において、販売対象商品の展示は不可欠であり、種々の方法が存在しているが、袋詰めされた商品の平面展示は、展示面積が大きくなるだけではなく、バラバラになり易いという欠点があるので、現在では、この平面展示に代わり、立体展示が主流となっている。
【０００３】
立体展示とは、縦置きあるいは吊下される展示ボードに、適当な長さのフックカバーを適当間隔で縦、横方向に複数個植設しておき、商品を収納した袋の上部に設けられている透孔を前記フックカバーに通し、商品を収納した袋をフックバーによって吊下して展示する展示方法である。
【特許文献１】特開２００６−１８０９９７号公報                  特開２００７−１５９７０４号公報                  特開２００７−３０１２００号公報                  特開２００６−１２２１０３号公報                  特開２００６−３４６２０５号公報                  特開２００６−１９８２２７号公報
【非特許文献１】なし
【考案の開示】
【考案が解決しようとする課題】
【０００４】
立体展示は、立体的に配列され、空間を有効に利用出来、商品も陳列し易く、取り出しも容易である点において、平面展示に比べすぐれたものであるが、商品を吊下するフックカバーが前面に突出しているので、不用意に顔を近づけると、その先端が目を突いたり、通りがかりに衣類などが引っ掛かってしまうおそれがある、などと言った安全上の懸念があった。又、この種の商品展示は、適当な空きスペースを利用し、適宜展示場所を変更する、ということも行われるが、従来のものの多くは、可搬性については特に考慮されておらず、色々な商品サイズや展示量に対応しにくい、と言った問題点も存在していた。更に、立体展示の為に用いる資材は、長期間の使用を前提しておらず、比較的短期間で入れ替えられることも多いが、廃棄する際における環境面に対する配慮も、特になされていなかった。
【０００５】
本考案者は、商品の展示において、現在主流になっている立体展示を、より一層安全かつ効率的にすべく研究を行った結果、安全性、省スペース、環境対策などに対する上記要求を満足させることが出来る、新しい商品展示ボードを開発することに成功し、本考案としてここに提案するものである。
【課題を解決するための手段】
【０００６】
板状をなした展示ボード本体；
先端が斜め上方に向かって屈曲せしめられたフックと、前記フックが水平位置からほぼ９０°上方へ向かって折りたためる様に、前記フックの後端側を枢支し、展示ボード本体に縦、横所定間隔で配列固定されるフック基部、とからなる吊下フック体；
前記フックの長さより大きな横巾を有し、先端側には、下方へ向かって折り曲げられた垂下辺が、後端側には、折り曲げられた固定代（しろ）がそれぞれ形成されており、展示ボード本体の吊下フック体の固定箇所の上方に前記固定代を固定することにより、水平位置からほぼ９０°上方へ向かって折りたためると共に、水平位置において垂下辺がフック前方へ位置し、空間を隔てて吊下フック体の前面を覆う様になっているひさし；とから商品展示ボードを構成することにより、上記課題を解決した。
【実施例】
【０００７】
図１はこの考案に係る商品展示ボードの一実施例の正面図、図２はその構成要素であるひさし１７を透視して描いた正面図、図３はその側面図、図４及び図５はその要部の拡大側面図、図６は更にそれを拡大して描いた拡大側面図、図７はその拡大正面図である。図中１は厚紙を素材とした展示ボード本体であり、縦長長方形をなし、人の目線と手の届く範囲内の寸法であり、なおかつ可搬性を有する様にする為、縦は１．０〜１．５ｍ、横は０．８以下の寸法であることが好ましいが、必ずしもこの寸法には限らない。又、左右上縁付近には吊下用透孔２，２が設けられ、紐３によって吊下される様になっている。そして、この展示ボード本体１には、縦、横所定の間隔で、複数の吊下フック体固定用透孔４が形成されている。
【０００８】
一方、５は吊下フック体であり、先端が斜め上方に向かって屈曲せしめられた棒状のフック６と、このフック６の後端を枢支し、これを水平位置からほぼ９０°上方へ向かって折りたためる様に支持したブロック状のフック基部７とからなっている。図６及び図７はこのフック６とフック基部７の詳細な構造を示したものであり、これらから明らかな通り、フック６の後端にはブロック状の支持片８が固定されていると共に、フック基部７にはこの支持片８を両側から挟み込む側片９，９が形成されており、側片９，９及び支持片８を貫通する軸体１０によって、フック６はフック基部７に対して回動自在に枢支されている。なお、この図６及び図７に示す回動機構は、あくまで例示に過ぎず、フック６が上方へ向かってほぼ９０°の範囲で回動可能状態で支持されていれば良いのであり、その機構は特に問わない。又、このフック基部７の裏面には突出部１１が形成されており、この突出部１１を展示ボード本体１に形成されている吊下フック体固定用透孔４に挿入し、裏面側から座金１４を介して木ネジ１３を捩じ込むことにより、フック基部７を展示ボード本体１に固定出来る様になっている。なお、標準的なピッチ（間隔）で設けられた常用の吊下フック体固定用透孔４のほか、これとは異なるピッチ（間隔）の予備用の吊下フック体固定用透孔を展示ボード本体１に予め形成しておけば、展示すべき商品の寸法に応じて適宜フック６の取付け位置を変更出来るので、より一層便利である。又、フック基部７の固定方法もあくまで例示に過ぎず、既存の固定手段を用いてフック基部７を展示ボード本体１に固定出来れば良いことはもちろんである。
【０００９】
一方、図中１７はひさしであり、厚紙や合成樹脂板などを素材とし、フック６の長さ９より大きい奥行きｂを有すると共に、展示ボード本体１の横巾ｃより若干小さい横巾ｄを有しており、先端縁には、フック６の先端を覆う様に下方に向かってほぼ９０°屈曲した固定代（しろ）１６がそれぞれ一体的に形成されており、この固定代１６の裏面に塗布された接着剤や粘着剤によって図示の様に、フック６の上方に固定される様になっている。そして、このひさし１７も、フック６と同様に、ほぼ９０°上方に向かって折りたためる様になっているが、その固定手段や折りたたみ機構は、特にこの実施例のものに限定されないことはもちろんである。
【００１０】
この実施例は上記の通りの構成を有するものであり、従来の展示ボードと同様、図１及び図２に示す様に、商品を入れた袋１８の上部に形成されている透孔１９をフック６に通し、該袋１８をフック６で吊下することにより、商品を展示ボード本体１に取り付けるものであるが、図３に示す様に、フック６の前方にはひさし１７の垂下辺１５が覆いかぶさる様に位置しているので、商品展示中に買い物客や通行人が不意にフック６に接近しても垂下辺１５がガードするので、フック６の先端部がこれらの者の目を突いたり、服を引っ掛けたりする危険性は全くない。なお、図５に示す様に、ひさし１７は上方に折りたためる様になっているので、フック６に商品を取り付け様とするときには、上方へ折りたたんで、その作業をしやすくすることが出来る。又、フック６も上方へ折りたためば、全体がほぼ平面状になるので、相互に重ね合わせることが出来、スペースの有効利用も図られる。更に、展示ボード本体１は厚紙製であり、フック６やひさし１７も展示ボード本体１から簡単に取りはずすことが出来るので、使用後の分別廃棄処理も容易であり、環境に悪影響を与えることが少ない。しかも、特別に製造調達すべき特注部品は全く必要とせず、既存の汎用部品を組み合わせれば簡単に製造することが可能であり、低コストで調達可能である、という効果も有し、商品の販売活動の活性化に資することが出来、高い実用的価値を有する。
【図面の簡単な説明】
【００１１】
【図１】この考案に係る商品展示ボードの一実施例の平面図。
【図２】同じく、ひさし１７を透視して描いたその正面図。
【図３】同じく、図１に示す実施例の側面図。
【図４】同じく、図１に示す実施例の要部の拡大側面図。
【図５】同じく、フック６及びひさし１７を折りたたんだ状態の拡大側面図。
【図６】同じく、要部であるフック基部７の更に拡大して描いた拡大側面図。
【図７】同じく、図６に示したフック基部７を正面側から見た拡大正面図。
【符号の説明】
【００１２】
１    展示ボード本体
２    吊下用透孔
３    紐
４    吊下フック体固定用透孔
５    吊下フック体
６    フック
７    フック基部
８    支持片
９    側片
１０    軸体
１１    突出部
１３    木ネジ
１４    座金
１５    垂れ辺
１６    固定代
１７    ひさし
１８    袋
１９    透孔
【図１】
0003144238.tif 000003
【図２】
0003144238.tif 000004
【図３】
0003144238.tif 000005
【図４】
0003144238.tif 000006
【図５】
0003144238.tif 000007
【図６】
0003144238.tif 000008
【図７】
0003144238.tif 000009